(57)【要約】【課題】表面に特定のキャラクタ等の絵を描いた付箋シールを積み重ねて貼付されており、前記一枚の付箋シールが複数に分割されていると共に、積み重ねた上下の付箋シール同士の絵柄が少しずつ相異しているような付箋シールを提供することを課題とする。【解決手段】本発明の付箋シールは、表面に動植物や特定のキャラクタを描いた付箋シールを複数枚重ね合わせて貼付したものである。また、それぞれの付箋シールの絵柄同士は形状等の共通性を備えている。更に、１枚の付箋シールは複数箇所に分割されており、付箋シール１枚全てを剥がし、或いは分割部分のみを剥がすことが出来る。【選択図】図１
2005335268.tif 000002
【特許請求の範囲】
【請求項１】
同一又は部分的に異なる特定の絵柄の描かれた付箋シールを複数枚重ねて構成され、かつ前記付箋シールが絵柄の形状が分割線で繋がるように複数個に分割されていると共に、前記複数枚の付箋シール上に描かれたそれぞれの絵柄同士が関連していることを特徴とする付箋シール。
【請求項２】
前記特定の絵柄が特定のキャラクタであることを特徴とする請求項１記載の付箋シール。
【請求項３】
前記粘着シールの分割線が１本から３本であることを特徴とする請求項１又は２のうちいずれか一項に記載の付箋シール。
【請求項４】
前記重ね合わせた粘着シール毎に前記特定のキャラクタの表情若しくは衣装、模様、動作などの様体が異なっていることを特徴とする請求項２又は３のうちいずれか一項に記載の付箋シール。
【発明の詳細な説明】
【技術分野】
【０００１】
本発明は、特定のキャラクタや動植物等の絵柄が描かれた、複数個に分割されたシールを重ね張り合わせた付箋シールであり、特に前記分割された部分同士が繋がった状態であるような付箋シールに関する。
【背景技術】
【０００２】
従来より、表面にキャラクタ等の絵柄を設けた付箋や、複数枚の付箋を多層構造に貼付した状態の付箋が提供されている。
【０００３】
一例として、メモ形式で電話番号や要件を記入する部分を設け、更に使用者の名前や愛称等を予め表面に印刷してある付箋紙が公開されている（例えば、特許文献１参照。）。
【０００４】
また、周辺にそれぞれ異なる絵柄を設けた付箋紙を多層構造に貼付して、多重立体感の動態視覚効果有する付箋紙も公開されている（例えば、特許文献２参照。）。
【特許文献１】登録実用新案公報３０６２５４９
【特許文献２】登録実用新案公報３０６６１４８
【発明の開示】
【発明が解決しようとする課題】
【０００５】
後者のような付箋シールでは、付箋をある程度消費し、シールの枚数が減ってくると側面に設けた絵柄の種類も減り、装飾性が落ちるという問題があった。また、絵柄は予め側面部に設けたもののみであり、消費者が購入する時に本付箋紙がどのようなデザインであるかが一目瞭然であり、やや面白みに欠けるという問題点があった。
【０００６】
そこで本発明では、従来技術の問題点に鑑みなされたもので、表面に特定のキャラクタ等の絵を描いた付箋シールを積み重ねて貼付されており、前記一枚の付箋シールが複数に分割されていると共に、積み重ねた上下の付箋シール同士の絵柄が少しずつ相異しているような付箋シールを提供することを課題とする。
【課題を解決するための手段】
【０００７】
請求項１記載の発明は、同一又は部分的に異なる特定の絵柄の描かれた付箋シールを複数枚重ねて構成され、かつ前記付箋シールが、絵柄の形状が分割線で繋がるように複数個に分割され、更に前記複数枚の付箋シール上に描かれたそれぞれの絵柄同士が関連していることを特徴とする付箋シールである。
【０００８】
本発明によれば、付箋シールの上に装飾性のある絵柄が描かれており、なおかつ１枚の付箋シールを複数個に分割でき、また上下の付箋シールの絵柄同士も関連しているので、パズル的な楽しみ方をすることができる。
【０００９】
請求項２記載の発明は、前記特定の絵柄が特定のキャラクタであることを特徴とする請求項１記載の付箋シールである。
【００１０】
本発明によれば、前記特定の絵柄を特定のキャラクタとすることで、より見栄えのする付箋シールを提供することができる。
【００１１】
請求項３記載の発明は、前記粘着シールの分割線が１本から３本であることを特徴とする請求項１又は２のうちいずれか一項に記載の付箋シールである。
【００１２】
本発明によれば、分割部分を２個から４個とすることで、パズル性を持ち合わせなおかつ製作コスト的にも優れた付箋シールを提供することができる。
【００１３】
請求項４記載の発明は、前記重ね合わせた粘着シール毎に前記特定のキャラクタの表情若しくは衣装、模様、動作などの様体が異なっていることを特徴とする請求項２又は３のうちいずれか一項に記載の付箋シールである。
【００１４】
本発明によれば、上下の付箋シール同士のキャラクタの表情や、衣装、輪郭などが異なっているのでよりパズル性が高まる。
【発明の効果】
【００１５】
本発明は以上説明したような形態で実施され、次のような効果を有する。
【００１６】
本発明によれば、使用者１つの付箋シールのセットのみで、様々な絵柄の動植物やキャラクタを視覚し、楽しんで付箋シールを使用することが出来る。更に、読書の意欲や整理整頓の実施も促進される。
【発明を実施するための最良の形態】
【００１７】
本発明の付箋シールは、表面に動植物や特定のキャラクタを描いた付箋シールを複数枚重ね合わせて貼付したものである。また、それぞれの付箋シールの絵柄同士は形状等の共通性を備えている。更に、１枚の付箋シールは複数箇所に分割されており、付箋シール１枚全てを剥がし、或いは分割部分のみを剥がすことが出来る。
【実施例】
【００１８】
以下、図面に基づいて本発明の実施例を詳細に説明する。
図１は本付箋シールのセット１の外観図を示している。表紙２と背表紙３の間に付箋シール４が複数枚積み重ねてそれぞれ貼付されている。表紙には本付箋シールの使用方法の説明が解説図付で描かれている。下図は表紙を開き、最初の付箋シール４が確認できる状態を示す。１つの付箋シール４は分割線５、６にて第１分割部分７、第２分割部分８、第３分割部分９の三箇所に分割されている。分割方法は完全切断、若しくはミシン目による切断等を用いても良い。また、一枚の付箋シール４上には統一されたデザインの１つのキャラクタの絵が描かれている。本実施例では図２及び図３に示すような擬人化した動物のキャラクタや、図４に示すような犬等が描かれている。図４の場合は、犬が横方向に描かれており、第１分割分７には犬の頭部が、第２分割部分８には前足と胴体部分が、そして第３分割部分には後ろ足と尻尾の部分がそれぞれ描かれている。
【００１９】
図４は本付箋シールを複数枚重ねる時の一例を示している。（ａ）は一番上の付箋シールを、（ｂ）は次のページの付箋シールを、（ｃ）は（ｂ）の次の付箋シールを表す。便宜上、（ａ）を上層１０、（ｂ）を中層１１、（ｃ）を下層１２として、この三枚の付箋シールを元に説明する。本実施例では上層１０の下に中層１１をその下に下層１２を配置してそれぞれ貼付されている。ここで上層１１、中層１２、下層１３のそれぞれの付箋シールには同一像の犬の絵柄が描かれており、基本的に犬の体の模様のみが異なっている。
【００２０】
図５は図２のそれぞれの付箋シールを前述の通りそれぞれ貼付した後、第２分割部分８を１枚、第３分割分割部分９を２枚剥がした状態を示す。図に示すように、第１分割部分は付箋シールを全く剥がしていないので上層１１に当たる図４（ａ）の模様が残されている。第２分割部分は１枚剥がしたので、中間層１２に当たる図４（ｂ）の模様が現われている。第３分割部分は２枚剥がしたので、下層１３に当たる図４（ｃ）の模様が現われている。従って、本付箋シールの各分割部分を自由に剥がしても、分割線での絵柄の形状の不連続性は全く無く、デザインには一定の共通性が保持されている。
【００２１】
図６は本付箋シールの使用方法を示した図である。図に示すように、一枚の付箋シール４を分割したものを一冊の本に連続して貼付している。このようにすることで、特に付箋シールにメモ書き等をしなくても、同一模様の付箋シールの部分は関連した内容であると簡単に判断できる。また、本の中で別の内容に関しては異なる模様の付箋シール４を貼付すると見た目にも瞬時に理解し易い。
【００２２】
図７は本付箋シールの別の実施例を示した図である。図７（ａ）では雛菊を模した絵柄が、（ｂ）にはチューリップを模した絵柄が、（ｃ）にはサボテンを模した絵柄がそれぞれ描かれている。便宜上（ａ）を第１付箋シール、（ｂ）を第２付箋シール、（ｃ）を第３付箋シールとする。１枚の付箋シールの第１分割部分７には花の花弁部分が、第２分割部分８には葉と茎の部分が、第３分割分９には植木鉢ノ部分がそれぞれ描かれている。本来これらの絵柄は鉢植えの花という以外は共通点はないものの、付箋シールの分割部分を剥がすことにより、自由に新たな花を現出させることができる。例えば、第３分割部分９の植木鉢を代えずに第１分割部分７の花弁部分を代え、或いはその逆も可能である。また本実施例では、第１から第３付箋シールにおいて、それぞれの分割部分の絵柄のうち、１つ若しくは２つのみを変更しておくというようなことも可能である。例えば、植木鉢を代えずに花弁部分と葉と茎の部分のみを代えていく、というようなことも可能である。また、変更する絵柄を減らすことが出来るので、印刷のコストを抑えることができる。
【００２３】
更に、人間や後ろ足で二足歩行する擬人化した動物のキャラクタを絵柄として用いる場合は、図３に示すように、首から上の部分、腕及び胴の部分、足の部分の３分割にすることができる。或いは、首から上の部分、腕と上半身の部分、腰から膝下までの部分、足の部分の４分割とすることもできる。人間や擬人化されたキャラクタを用いた場合に付箋シール毎に絵柄を変化させるには、図３に示すような皮膚の変化（クリスタル化、クレイ化、果物化等）や、表情の変化（笑顔、泣き顔、悲しい顔、怒った顔等）、或いは衣装の変化（帽子、上着、スカート、ズボン、靴等）を利用することが出来る。
【００２４】
本発明の付箋シールの実施例では分割線が２本、分割部分が３個であるが、分割線の数及び分割部分の個数は任意に設定可能であるが、分割線は１本から４本程度が好ましい。
【産業上の利用可能性】
【００２５】
本発明の付箋シールは、取扱いが容易でかつ趣向を凝らしているので、大人から子供まで楽しく使用することができる。また特定の人気キャラクタや可愛い動物の絵柄を使用することにより、より装飾性を高め、子供の関心を惹くことができる。
【図面の簡単な説明】
【００２６】
【図１】本発明の付箋シールの実施例について、外観図と見開きの状態を示す。
【図２】本発明の付箋シールの実施例について、動物を擬人化したキャラクタを設けた例を示す。
【図３】図２のキャラクタを分割し、その様体を変化させた場合の実施例を示す。
【図４】本発明の付箋シールの実施例について、異なる絵柄の３種類の付箋シールを示す。
【図５】図４の３種類の付箋シールを重ね合わせた状態での、使用方法の一例を示す。
【図６】本発明の付箋シールの実施例について、その使用方法の一例を示す。
【図７】本発明の付箋シールについての別の一実施例を示す。
【符号の説明】
【００２７】
１ 付箋シールのセット
２ 付箋シール表紙
３ 付箋シール裏表紙
４ 付箋シール
５ 第１分割線
６ 第２分割線
７ 第１分割部分
８ 第２分割部分
９ 第３分割部分
１０ 上層付箋シール
１１ 中層付箋シール
１２ 下層付箋シール
１３ 第１付箋シール
１４ 第２付箋シール
１５ 第３付箋シール
【図１】
2005335268.tif 000003
【図２】
2005335268.tif 000004
【図６】
2005335268.tif 000005
【図７】
2005335268.tif 000006
【図３】
2005335268.tif 000007
【図４】
2005335268.tif 000008
【図５】
2005335268.tif 000009